(57)【特許請求の範囲】
【請求項１】
所定容量のメモリを有し、該メモリ内の商品管理に係る記憶情報をワイアレスにてアクセス可能な情報記憶素子を管理対象商品に装着し、
前記管理対象商品に装着された情報記憶素子内の情報をスキャナによってワイアレスにてアクセスし、
該スキャナに接続された管理処理部によって、前記情報記憶素子に対するアクセス情報に基づいて前記商品の管理処理を行い、
前記管理対象商品の販売時に、前記管理処理部から前記スキャナを介して販売日、販売店等の販売に係る所定情報及び商品購入者の住所、氏名等の購入者情報を前記情報記憶素子のメモリに書き込むと共に、これらの情報並びに販売商品名、販売商品の製造番号を前記管理処理部に記憶することを特徴とする商品管理方法。
【請求項２】
前記情報記憶素子のメモリは半導体メモリからなり、該半導体メモリには、少なくとも該情報記憶素子が装着されている管理対象商品を識別するための情報が記憶されていると共に、前記管理処理部には少なくとも管理対象商品に対応して販売価格が記憶されており、商品の販売時に前記スキャナによって販売商品に装着された情報記憶素子をアクセスし、前記管理処理部は商品購入者に対する請求金額を算出することを特徴とする請求項１記載の商品管理方法。
【請求項３】
前記管理処理部は、商品販売時に記憶した販売に係る所定情報、購入者情報、販売商品名、販売商品の製造番号に基づいて販売商品保証書の発行処理を行うことを特徴とする請求項１又は２記載の商品管理方法。
【請求項４】
管理対象商品に装着され、所定容量のメモリを有し、該メモリ内の商品管理に係る記憶情報をワイアレスにてアクセス可能な情報記憶素子と、
前記管理対象商品に装着された情報記憶素子内の情報をワイアレスにてアクセスするスキャナと、
該スキャナに接続され前記情報記憶素子に対するアクセス情報に基づいて、前記商品の管理処理を行う管理処理部とからなり、
前記管理処理部は、少なくとも販売商品名、販売商品の製造番号、商品購入者の住所、氏名等の情報を入力する情報入力手段と、前記管理対象商品の販売時に、販売日、販売店等の販売に係る所定情報及び商品購入者の住所、氏名等の購入者情報を前記情報記憶素子のメモリに書き込む情報書き込み手段と、これらの情報並びに販売商品名、販売商品の製造番号を記憶する情報記憶手段とを備えていることを特徴とする商品管理装置。
【請求項５】
前記情報記憶素子のメモリは半導体メモリからなり、該半導体メモリには、少なくとも該情報記憶素子が装着されている管理対象商品を識別するための情報が記憶されていると共に、
前記管理処理部は、少なくとも管理対象商品に対応して販売価格を記憶する価格記憶手段と、商品の販売時に前記スキャナによって販売商品に装着された情報記憶素子へのアクセス結果に基づいて、商品購入者に対する請求金額を算出する請求金額算出手段とを備えている
ことを特徴とする請求項４記載の商品管理装置。
【請求項６】
前記管理処理部は、商品販売時に記憶した販売に係る所定情報、購入者情報、販売商品名、販売商品の製造番号に基づいて販売商品保証書の発行処理を行う保証書発行手段を備えていることを特徴とする請求項４又は５記載の商品管理装置。
【請求項７】
前記情報記憶素子は、受信用アンテナと、送信用アンテナと、前記受信用アンテナに入力された第１の周波数の電磁波より所定の直流電流を生成する整流回路と、前記整流回路から出力される直流電流により動作するメモリと、前記整流回路から出力される直流電流により動作し、前記メモリ内の記憶情報を読み出す中央処理部と、前記整流回路から出力される直流電流により動作し、前記中央処理部によって読み出された情報を第２の周波数の高周波信号として前記送信アンテナに供給する高周波発信部とを備え、
前記スキャナは、送信用アンテナと、受信用アンテナと、前記第１の周波数の高周波信号を前記送信用アンテナに供給する発信部と、前記受信用アンテナから前記第２の周波数の高周波信号を入力して該信号に含まれる情報を抽出する受信部とを備えている
ことを特徴とする請求項４乃至６の何れかに記載の商品管理装置。
【請求項８】
前記情報記憶素子は、受信用アンテナと、送信用アンテナと、前記受信用アンテナに入力された第１の周波数の電磁波を検波する検波回路と、前記受信用アンテナに入力された第１の周波数の電磁波より所定の直流電流を生成する整流回路と、前記整流回路から出力される直流電流により動作するメモリと、前記整流回路から出力される直流電流により動作し、前記検波回路から入力する信号中の所定の読み出し命令によって前記メモリ内の記憶情報を読み出す中央処理部と、前記整流回路から出力される直流電流により動作し、前記中央処理部によって読み出された情報を第２の周波数の高周波信号として前記送信アンテナに供給する高周波発信部とを備え、
前記スキャナは、送信用アンテナと、受信用アンテナと、前記読み出し命令を前記第１の周波数の高周波信号として前記送信用アンテナに供給する発信部と、前記受信用アンテナから前記第２の周波数の高周波信号を入力して該信号に含まれる情報を抽出する受信部とを備えている
ことを特徴とする請求項４乃至６の何れかに記載の商品管理装置。
【請求項９】
前記情報記憶素子は、受信用アンテナと、送信用アンテナと、前記受信用アンテナに入力された第１の周波数の電磁波を検波する検波回路と、前記受信用アンテナに入力された第１の周波数の電磁波より所定の直流電流を生成する整流回路と、前記整流回路から出力される直流電流により動作するメモリと、前記整流回路から出力される直流電流により動作し、前記検波回路から入力する信号中の所定の読み出し命令によって前記メモリ内の記憶情報を読み出すと共に前記信号中の所定の書き込み命令によって該命令に続く情報を前記メモリの所定アドレスに書き込む中央処理部と、前記整流回路から出力される直流電流により動作し、前記中央処理部によって読み出された情報を第２の周波数の高周波信号として前記送信アンテナに供給する高周波発信部とを備え、
前記スキャナは、送信用アンテナと、受信用アンテナと、前記読み出し命令或いは前記書き込み命令及び情報を前記第１の周波数の高周波信号として前記送信用アンテナに供給する発信部と、前記受信用アンテナから前記第２の周波数の高周波信号を入力して該信号に含まれる情報を抽出する受信部とを備えている
ことを特徴とする請求項４乃至６の何れかに記載の商品管理装置。
【請求項１０】
前記情報記憶素子は、第１の周波数の超音波を受信する超音波受信部と、入力情報に基づく第２の周波数の超音波を送信する超音波送信部と、前記超音波受信部に入力された第１の周波数の超音波より所定の直流電流を生成する整流回路と、前記整流回路から出力される直流電流により動作するメモリと、前記整流回路から出力される直流電流により動作し、前記メモリ内の記憶情報を読み出す中央処理部と、前記整流回路から出力される直流電流により動作し、前記中央処理部によって読み出された情報を前記超音波送信部に供給する高周波発信部とを備え、
前記スキャナは、前記第１の周波数の超音波を送信する超音波送信部と、前記第２の周波数の超音波を受信する超音波受信部と、前記超音波受信部から前記第２の周波数の超音波を入力して該超音波に含まれる情報を抽出する中央処理部とを備えている
ことを特徴とする請求項４乃至６の何れかに記載の商品管理装置。
【請求項１１】
前記情報記憶素子は、第１の周波数の超音波を受信する超音波受信部と、前記超音波受信部に入力された前記第１の周波数の超音波を検波する検波回路と、入力情報に基づく第２の周波数の超音波を送信する超音波送信部と、前記超音波受信部に入力された第１の周波数の超音波より所定の直流電流を生成する整流回路と、前記整流回路から出力される直流電流により動作するメモリと、前記整流回路から出力される直流電流により動作し、前記検波回路から入力する信号中の所定の読み出し命令によって前記メモリ内の記憶情報を読み出す中央処理部と、前記整流回路から出力される直流電流により動作し、前記中央処理部によって読み出された情報を前記超音波送信部に供給する高周波発信部とを備え、
前記スキャナは、前記読み出し命令を前記第１の周波数の超音波として送信する超音波送信部と、前記第２の周波数の超音波を受信する超音波受信部と、前記超音波受信部から前記第２の周波数の超音波を入力して該超音波に含まれる情報を抽出する中央処理部とを備えている
ことを特徴とする請求項４乃至６の何れかに記載の商品管理装置。
【請求項１２】
前記情報記憶素子は、第１の周波数の超音波を受信する超音波受信部と、前記超音波受信部に入力された前記第１の周波数の超音波を検波する検波回路と、入力情報に基づく第２の周波数の超音波を送信する超音波送信部と、前記超音波受信部に入力された第１の周波数の超音波より所定の直流電流を生成する整流回路と、前記整流回路から出力される直流電流により動作するメモリと、前記整流回路から出力される直流電流により動作し、前記検波回路から入力する信号中の所定の読み出し命令によって前記メモリ内の記憶情報を読み出すと共に前記信号中の所定の書き込み命令によって該命令に続く情報を前記メモリの所定アドレスに書き込む中央処理部と、前記整流回路から出力される直流電流により動作し、前記中央処理部によって読み出された情報を前記超音波送信部に供給する高周波発信部とを備え、
前記スキャナは、前記読み出し命令或いは前記書き込み命令及び情報を前記第１の周波数の超音波として送信する超音波送信部と、前記第２の周波数の超音波を受信する超音波受信部と、前記超音波受信部から前記第２の周波数の超音波を入力して該超音波に含まれる情報を抽出する中央処理部とを備えている
ことを特徴とする請求項４乃至６の何れかに記載の商品管理装置
【発明の詳細な説明】
【０００１】
【発明が属する技術分野】
本発明は、商品管理方法及びその装置に関し、特に管理対象商品に情報記憶素子を設け、情報記憶素子に対する情報の読み出し或いは読み出し及び書き込みを行うことにより商品管理を行うものである。
【０００２】
【従来の技術】
従来、商品の販売管理等において、バーコードラベルが広く用いられている。バーコードラベルは任意の情報をコード化したバーコードを表記したラベルであり、この情報は光学的スキャナによって容易に読みとることができるものである。
【０００３】
例えば、商品の販売管理にバーコードラベルを用いる場合には、バーコードとして表す情報としては、商品分類及び商品名等である。
【０００４】
このようなバーコードラベルを用いることにより、商品の販売管理等を非常に簡単に行うことができるようになった。
【０００５】
【発明が解決しようとする課題】
しかしながら、１つのバーコードラベルによって表せる情報には限度がある。即ち、ラベルの面積によって表記できるバーコードが限られてしまい、１つのバーコードラベルによって多くの情報を得ることは不可能であった。このため、バーコードラベルを用いて多くの情報を伝達したいときには、複数のバーコードラベルを用いなければならず、煩雑になりがちであった。
【０００６】
また、従来のバーコードラベルはバーコードラベル作成時に設定した情報の伝達のみを行えるものであり、所望の時点において、これに新たな情報を付加して伝達することはできなかった。
【０００７】
また、販売等の商品管理においては、バーコードラベルを用いて販売した商品の種別、個数、価格等管理するに留まり、これ以外の管理、例えば顧客管理に伴う販売商品の保証書発行等の管理処理を自動的に行うまでには至っていない。
【０００８】
本発明の目的は上記の問題点に鑑み、商品及び商品販売に係る多種の情報を管理できる商品管理方法及びその装置を提供することにある。
【０００９】
【課題を解決するための手段】
本発明は上記の目的を達成するために請求項１では、所定容量のメモリを有し、該メモリ内の商品管理に係る記憶情報をワイアレスにてアクセス可能な情報記憶素子を管理対象商品に装着し、前記管理対象商品に装着された情報記憶素子内の情報をスキャナによってワイアレスにてアクセスし、該スキャナに接続された管理処理部によって、前記情報記憶素子に対するアクセス情報に基づいて前記商品の管理処理を行い、前記管理対象商品の販売時に、前記管理処理部から前記スキャナを介して販売日、販売店等の販売に係る所定情報及び商品購入者の住所、氏名等の購入者情報を前記情報記憶素子のメモリに書き込むと共に、これらの情報並びに販売商品名、販売商品の製造番号を前記管理処理部に記憶する商品管理方法を提案する。
【００１０】
該商品管理方法によれば、管理対象商品に装着された情報記憶素子内のメモリ内に記憶されている情報がスキャナによってワイアレスにてアクセスされ、該スキャナに接続された管理処理部によって、前記情報記憶素子に対するアクセス情報に基づいて前記商品の管理処理が行われる。従って、前記情報記憶素子のメモリに予め商品名、商品種別、製造年月日、製造工場、製造ロット等の管理対象商品に係る情報を記憶させておくことにより、前記管理処理部によって、例えば商品在庫管理、商品販売管理等の商品管理を行うことができる。さらに、管理対象商品の販売時に、前記販売に係る所定情報及び商品購入者の住所、氏名等の購入者情報（ユーザ情報）が情報記憶素子のメモリに書き込まれると共に、これらの情報並びに販売商品名、販売商品の製造番号が前記管理処理部に記憶されるので、販売した商品の不具合発生或いは故障修理等のときに商品の履歴を即座に把握することができ、販売商品の情報及び該商品のユーザ情報を詳細に把握することができると共に、商品自体にユーザ情報が記憶されているため、商品の所有者識別を容易に行うことができる。
【００１１】
また、請求項２では、請求項１記載の商品管理方法において、前記情報記憶素子のメモリは半導体メモリからなり、該半導体メモリには、少なくとも該情報記憶素子が装着されている管理対象商品を識別するための情報が記憶されていると共に、前記管理処理部には少なくとも管理対象商品に対応して販売価格が記憶されており、商品の販売時に前記スキャナによって販売商品に装着された情報記憶素子をアクセスし、前記管理処理部は商品購入者に対する請求金額を算出する商品管理方法を提案する。
【００１２】
該商品管理方法によれば、情報記憶素子の半導体メモリには、少なくとも該情報記憶素子が装着されている管理対象商品を識別するための情報が記憶されていると共に、前記管理処理部には少なくとも管理対象商品に対応して販売価格が記憶されているため、商品の販売時に前記スキャナによって販売商品に装着された情報記憶素子をアクセスすることにより、前記管理処理部によって商品購入者に対する請求金額が算出される。これにより、現在多く用いられているバーコードによるＰＯＳシステムと同様に商品販売管理を行うことができる。
【００１３】
また、請求項３では、請求項１又は２記載の商品管理方法において、前記管理処理部は、商品販売時に記憶した販売に係る所定情報、購入者情報、販売商品名、販売商品の製造番号に基づいて販売商品保証書の発行処理を行う商品管理方法を提案する。
【００１４】
該商品管理方法によれば、管理処理部によって、商品販売時に記憶した販売に係る所定情報、購入者情報、販売商品名、販売商品の製造番号に基づいて販売商品保証書の発行処理が行われるので、保証書の発行処理を迅速に且つ容易に行うことができる。
【００１５】
また、請求項４では、管理対象商品に装着され、所定容量のメモリを有し、該メモリ内の商品管理に係る記憶情報をワイアレスにてアクセス可能な情報記憶素子と、前記管理対象商品に装着された情報記憶素子内の情報をワイアレスにてアクセスするスキャナと、該スキャナに接続され前記情報記憶素子に対するアクセス情報に基づいて、前記商品の管理処理を行う管理処理部とからなり、前記管理処理部は、少なくとも販売商品名、販売商品の製造番号、商品購入者の住所、氏名等の情報を入力する情報入力手段と、前記管理対象商品の販売時に、販売日、販売店等の販売に係る所定情報及び商品購入者の住所、氏名等の購入者情報を前記情報記憶素子のメモリに書き込む情報書き込み手段と、これらの情報並びに販売商品名、販売商品の製造番号を記憶する情報記憶手段とを備えている商品管理装置を提案する。
【００１６】
該商品管理装置によれば、管理対象商品に装着された情報記憶素子内のメモリ内に記憶されている情報がスキャナによってワイアレスにてアクセスされ、該スキャナに接続された管理処理部によって、前記情報記憶素子に対するアクセス情報に基づいて前記商品の管理処理が行われるので、前記情報記憶素子のメモリに予め商品名、商品種別、製造年月日、製造工場、製造ロット等の管理対象商品に係る情報を記憶させておくことにより、前記管理処理部によって、例えば商品在庫管理、商品販売管理等の商品管理を行うことができる。さらに、管理対象商品の販売時に、情報入力手段によって入力された前記販売に係る所定情報及び商品購入者の住所、氏名等の購入者情報（ユーザ情報）が管理対象商品に装着された情報記憶素子のメモリに書き込まれると共に、これらの情報並びに販売商品名、販売商品の製造番号が前記管理処理部の情報記憶手段に記憶されるので、販売した商品の不具合発生或いは故障修理等のときに商品の履歴を即座に把握することができ、販売商品の情報及び該商品のユーザ情報を詳細に把握することができると共に、商品自体にユーザ情報が記憶されているため、商品の所有者識別を容易に行うことができる。
【００１７】
また、請求項５では、請求項４記載の商品管理装置において、前記情報記憶素子のメモリは半導体メモリからなり、該半導体メモリには、少なくとも該情報記憶素子が装着されている管理対象商品を識別するための情報が記憶されていると共に、前記管理処理部は、少なくとも管理対象商品に対応して販売価格を記憶する価格記憶手段と、商品の販売時に前記スキャナによって販売商品に装着された情報記憶素子へのアクセス結果に基づいて、商品購入者に対する請求金額を算出する請求金額算出手段とを備えている商品管理装置を提案する。
【００１８】
該商品管理装置によれば、情報記憶素子の半導体メモリには、少なくとも該情報記憶素子が装着されている管理対象商品を識別するための情報が記憶されていると共に、前記管理処理部には少なくとも管理対象商品に対応して販売価格が記憶されているため、商品の販売時に前記スキャナによって販売商品に装着された情報記憶素子をアクセスすることにより、前記管理処理部によって商品購入者に対する請求金額が算出されるので、現在多く用いられているバーコードによるＰＯＳシステムと同様に商品販売管理を行うことができる。
【００１９】
また、請求項６では、請求項４又は５記載の商品管理装置において、前記管理処理部は、商品販売時に記憶した販売に係る所定情報、購入者情報、販売商品名、販売商品の製造番号に基づいて販売商品保証書の発行処理を行う保証書発行手段を備えている商品管理装置を提案する。
【００２０】
該商品管理装置によれば、管理処理部の保証書発行手段によって、商品販売時に記憶した販売に係る所定情報、購入者情報、販売商品名、販売商品の製造番号に基づいて販売商品保証書の発行処理が行われるので、保証書の発行処理を迅速に且つ容易に行うことができる。
【００２１】
また、請求項７では、請求項４乃至６の何れかに記載の商品管理装置において、前記情報記憶素子は、受信用アンテナと、送信用アンテナと、前記受信用アンテナに入力された第１の周波数の電磁波より所定の直流電流を生成する整流回路と、前記整流回路から出力される直流電流により動作するメモリと、前記整流回路から出力される直流電流により動作し、前記メモリ内の記憶情報を読み出す中央処理部と、前記整流回路から出力される直流電流により動作し、前記中央処理部によって読み出された情報を第２の周波数の高周波信号として前記送信アンテナに供給する高周波発信部とを備え、前記スキャナは、送信用アンテナと、受信用アンテナと、前記第１の周波数の高周波信号を前記送信用アンテナに供給する発信部と、前記受信用アンテナから前記第２の周波数の高周波信号を入力して該信号に含まれる情報を抽出する受信部とを備えている商品管理装置を提案する。
【００２２】
該商品管理装置によれば、前記情報記憶素子から情報を読み出す際には、スキャナの発信部から送信用アンテナに供給され、該アンテナから輻射された第１の周波数の電磁波を前記情報記憶素子に照射する。これにより、前記情報記憶素子では、前記第１の周波数の電磁波を前記受信用アンテナによって受信すると、整流回路によって該電磁波が整流されて直流電流が生成され、該直流電流によって前記メモリ及び前記中央処理部並びに高周波発信部が駆動される。これにより、前記中央処理部は、前記第１の周波数の電磁波が受信されている間に、即ち前記整流回路から直流電流が供給されている間に、前記メモリ内に記憶されている情報を読み出し、該読み出された情報は、前記高周波発信部によって前記第２の周波数の高周波信号として前記送信用アンテナに供給され電磁波として輻射される。この電磁波は、前記スキャナの受信用アンテナを介して受信部に入力され、該受信部によって前記第２の周波数の高周波信号に含まれる情報が抽出され、前記記憶素子に記憶されていた情報が読み出される。
【００２３】
従って、前記スキャナによって前記情報記憶素子の外部より前記第１の周波数の電磁波を輻射することにより、これとほぼ同時に情報記憶素子内の記憶情報が前記第２の周波数の電磁波として出射されるので、これを前記スキャナによって受信することにより、記憶情報を得ることができる。また、前記情報記憶素子内部には電源を必要としないので、半永久的に使用可能である。
【００２４】
また、請求項８では、請求項４乃至６の何れかに記載の商品管理装置において、前記情報記憶素子は、受信用アンテナと、送信用アンテナと、前記受信用アンテナに入力された第１の周波数の電磁波を検波する検波回路と、前記受信用アンテナに入力された第１の周波数の電磁波より所定の直流電流を生成する整流回路と、前記整流回路から出力される直流電流により動作するメモリと、前記整流回路から出力される直流電流により動作し、前記検波回路から入力する信号中の所定の読み出し命令によって前記メモリ内の記憶情報を読み出す中央処理部と、前記整流回路から出力される直流電流により動作し、前記中央処理部によって読み出された情報を第２の周波数の高周波信号として前記送信アンテナに供給する高周波発信部とを備え、前記スキャナは、送信用アンテナと、受信用アンテナと、前記読み出し命令を前記第１の周波数の高周波信号として前記送信用アンテナに供給する発信部と、前記受信用アンテナから前記第２の周波数の高周波信号を入力して該信号に含まれる情報を抽出する受信部とを備えている商品管理装置を提案する。
【００２５】
該商品管理装置によれば、情報記憶素子から情報を読み出す際には、スキャナの発信部から情報の読み出し命令を第１の周波数の高周波信号として送信用アンテナに供給し、該送信用アンテナから輻射された第１の周波数の電磁波を記憶素子に照射する。これにより、前記情報記憶素子では、前記第１の周波数の電磁波を前記受信用アンテナによって受信すると、整流回路によって該電磁波が整流されて直流電流が生成され、該直流電流によって前記メモリ及び前記中央処理部並びに高周波発信部が駆動される。さらに、検波回路によって前記受信用アンテナに入力された前記第１の周波数の電磁波が検波され、前記中央処理部に供給される。
【００２６】
これにより、前記中央処理部は、前記第１の周波数の電磁波が受信されている間に、即ち前記整流回路から直流電流が供給されている間に、前記検波回路から入力する信号中の読み出し命令を受けたとき、前記メモリ内に記憶されている情報を読み出し、該読み出された情報は、前記高周波発信部によって前記第２の周波数の高周波信号として前記送信用アンテナに供給され電磁波として輻射される。
【００２７】
この電磁波は、前記スキャナの受信用アンテナを介して受信部に入力され、該受信部によって前記第２の周波数の高周波信号に含まれる情報が抽出され、前記記憶素子に記憶されていた情報が読み出される。
【００２８】
従って、前記スキャナによって前記記憶素子の外部より情報読み出し命令に基づく前記第１の周波数の電磁波を輻射することにより、これとほぼ同時に情報記憶素子内の記憶情報が前記第２の周波数の電磁波として出射されるので、これを前記スキャナによって受信することにより、記憶情報を得ることができる。また、前記情報記憶素子内部には電源を必要としないので、半永久的に使用可能である。
【００２９】
また、請求項９では、請求項４乃至６の何れかに記載の商品管理装置において、前記情報記憶素子は、受信用アンテナと、送信用アンテナと、前記受信用アンテナに入力された第１の周波数の電磁波を検波する検波回路と、前記受信用アンテナに入力された第１の周波数の電磁波より所定の直流電流を生成する整流回路と、前記整流回路から出力される直流電流により動作するメモリと、前記整流回路から出力される直流電流により動作し、前記検波回路から入力する信号中の所定の読み出し命令によって前記メモリ内の記憶情報を読み出すと共に前記信号中の所定の書き込み命令によって該命令に続く情報を前記メモリの所定アドレスに書き込む中央処理部と、前記整流回路から出力される直流電流により動作し、前記中央処理部によって読み出された情報を第２の周波数の高周波信号として前記送信アンテナに供給する高周波発信部とを備え、前記スキャナは、送信用アンテナと、受信用アンテナと、前記読み出し命令或いは前記書き込み命令及び情報を前記第１の周波数の高周波信号として前記送信用アンテナに供給する発信部と、前記受信用アンテナから前記第２の周波数の高周波信号を入力して該信号に含まれる情報を抽出する受信部とを備えている商品管理装置を提案する。
【００３０】
該商品管理装置によれば、情報記憶素子に対して情報の読み書きを行う際には、スキャナの発信部から情報の読み出し命令或いは書き込み命令及び書き込み対象となる情報を第１の周波数の高周波信号として送信用アンテナに供給し、該送信用アンテナから輻射された第１の周波数の電磁波を前記情報記憶素子に照射する。これにより、前記情報記憶素子では、前記第１の周波数の電磁波を前記受信用アンテナによって受信すると、整流回路によって該電磁波が整流されて直流電流が生成され、該直流電流によって前記メモリ及び前記中央処理部並びに高周波発信部が駆動される。さらに、検波回路によって前記受信用アンテナに入力された前記第１の周波数の電磁波が検波され、前記中央処理部に供給される。
【００３１】
これにより、前記中央処理部は、前記第１の周波数の電磁波が受信されている間に、即ち前記整流回路から直流電流が供給されている間に、前記検波回路から入力する信号中の読み出し命令を受けたとき、前記メモリ内に記憶されている情報を読み出し、該読み出された情報は、前記高周波発信部によって前記第２の周波数の高周波信号として前記送信用アンテナに供給され電磁波として輻射される。
【００３２】
また、前記中央処理部は、前記検波回路から入力する信号中の書き込み命令を受けたときに、該命令に続く書き込み対象情報を前記メモリ内の所定のアドレスに記憶する。
【００３３】
前記情報記憶素子から輻射された電磁波は、前記スキャナの受信用アンテナを介して受信部に入力され、該受信部によって前記第２の周波数の高周波信号に含まれる情報が抽出され、前記情報記憶素子に記憶されていた情報が読み出される。
【００３４】
従って、前記スキャナによって前記情報記憶素子の外部より情報の読み出し命令に基づく前記第１の周波数の電磁波を輻射することにより、これとほぼ同時に情報記憶素子内の記憶情報が前記第２の周波数の電磁波として出射されるので、前記情報記憶素子から出射された電磁波を前記スキャナによって受信することにより、記憶情報を得ることができる。さらに、前記スキャナによって前記情報記憶素子の外部より情報の書き込み命令及び記憶対象となる情報に基づく前記第１の周波数の電磁波を輻射することにより、記憶素子内のメモリに情報を記憶することができ、記憶情報の更新も容易に行える。また、前記情報記憶素子内部には電源を必要としないので、半永久的に使用可能である。
【００３５】
また、請求項１０では、請求項４乃至６の何れかに記載の商品管理装置において、前記情報記憶素子は、第１の周波数の超音波を受信する超音波受信部と、入力情報に基づく第２の周波数の超音波を送信する超音波送信部と、前記超音波受信部に入力された第１の周波数の超音波より所定の直流電流を生成する整流回路と、前記整流回路から出力される直流電流により動作するメモリと、前記整流回路から出力される直流電流により動作し、前記メモリ内の記憶情報を読み出す中央処理部と、前記整流回路から出力される直流電流により動作し、前記中央処理部によって読み出された情報を前記超音波送信部に供給する高周波発信部とを備え、前記スキャナは、前記第１の周波数の超音波を送信する超音波送信部と、前記第２の周波数の超音波を受信する超音波受信部と、前記超音波受信部から前記第２の周波数の超音波を入力して該超音波に含まれる情報を抽出する中央処理部とを備えている商品管理装置を提案する。
【００３６】
該商品管理装置によれば、前記記憶素子から情報を読み出す際には、スキャナの超音波送信部から輻射された第１の周波数の超音波を情報記憶素子に照射する。これにより、前記情報記憶素子では、前記第１の周波数の超音波を前記超音波受信部によって受信すると、整流回路によって該超音波から直流電流が生成され、該直流電流によって前記メモリ及び前記中央処理部並びに高周波発信部が駆動される。
【００３７】
これにより、前記中央処理部は、前記第１の周波数の超音波が受信されている間に、即ち前記整流回路から直流電流が供給されている間に、前記メモリ内に記憶されている情報を読み出し、該読み出された情報は、前記高周波発信部によって前記第２の周波数の高周波信号として前記超音波送信部に供給されて、第２の周波数の超音波として輻射される。この超音波は、前記スキャナの超音波受信部を介して中央処理部に入力され、該中央処理部によって前記第２の周波数の超音波に含まれる情報が抽出され、前記情報記憶素子に記憶されていた情報が読み出される。
【００３８】
従って、前記スキャナによって前記情報記憶素子の外部より前記第１の周波数の超音波を輻射することにより、これとほぼ同時に情報記憶素子内の記憶情報が前記第２の周波数の超音波として出射されるので、これを前記スキャナによって受信することにより、記憶情報を得ることができる。また、前記情報記憶素子内部には電源を必要としないので、半永久的に使用可能である。
【００３９】
また、請求項１１では、請求項４乃至６の何れかに記載の商品管理装置において、前記情報記憶素子は、第１の周波数の超音波を受信する超音波受信部と、前記超音波受信部に入力された前記第１の周波数の超音波を検波する検波回路と、入力情報に基づく第２の周波数の超音波を送信する超音波送信部と、前記超音波受信部に入力された第１の周波数の超音波より所定の直流電流を生成する整流回路と、前記整流回路から出力される直流電流により動作するメモリと、前記整流回路から出力される直流電流により動作し、前記検波回路から入力する信号中の所定の読み出し命令によって前記メモリ内の記憶情報を読み出す中央処理部と、前記整流回路から出力される直流電流により動作し、前記中央処理部によって読み出された情報を前記超音波送信部に供給する高周波発信部とを備え、前記スキャナは、前記読み出し命令を前記第１の周波数の超音波として送信する超音波送信部と、前記第２の周波数の超音波を受信する超音波受信部と、前記超音波受信部から前記第２の周波数の超音波を入力して該超音波に含まれる情報を抽出する中央処理部とを備えている商品管理装置を提案する。
【００４０】
該商品管理装置によれば、情報記憶素子から情報を読み出す際には、スキャナの超音波送信部から輻射された情報の読み出し命令に基づく第１の周波数の超音波を情報記憶素子に照射する。これにより、前記情報記憶素子では、前記第１の周波数の超音波を前記超音波受信部によって受信すると、整流回路によって該超音波から直流電流が生成され、該直流電流によって前記メモリ及び前記中央処理部並びに高周波発信部が駆動される。さらに、検波回路によって前記第１の周波数の超音波が検波され、前記中央処理部に供給される。
【００４１】
これにより、前記中央処理部は、前記第１の周波数の超音波が受信されている間に、即ち前記整流回路から直流電流が供給されている間に、前記検波回路から入力する信号中の読み出し命令を受けたとき、前記メモリ内に記憶されている情報を読み出し、該読み出された情報は、前記高周波発信部によって前記第２の周波数の高周波信号として前記超音波送信部に供給されて、第２の周波数の超音波として輻射される。この超音波は、前記スキャナの超音波受信部を介して中央処理部に入力され、該中央処理部によって前記第２の周波数の超音波に含まれる情報が抽出され、前記情報記憶素子に記憶されていた情報が読み出される。
【００４２】
従って、前記スキャナによって前記情報記憶素子の外部より読み出し命令に基づく前記第１の周波数の超音波を輻射することにより、これとほぼ同時に情報記憶素子内の記憶情報が前記第２の周波数の超音波として出射されるので、これを前記スキャナによって受信することにより、記憶情報を得ることができる。また、前記情報記憶素子内部には電源を必要としないので、半永久的に使用可能である。
【００４３】
また、請求項１２では、請求項４乃至６の何れかに記載の商品管理装置において、前記情報記憶素子は、第１の周波数の超音波を受信する超音波受信部と、前記超音波受信部に入力された前記第１の周波数の超音波を検波する検波回路と、入力情報に基づく第２の周波数の超音波を送信する超音波送信部と、前記超音波受信部に入力された第１の周波数の超音波より所定の直流電流を生成する整流回路と、前記整流回路から出力される直流電流により動作するメモリと、前記整流回路から出力される直流電流により動作し、前記検波回路から入力する信号中の所定の読み出し命令によって前記メモリ内の記憶情報を読み出すと共に前記信号中の所定の書き込み命令によって該命令に続く情報を前記メモリの所定アドレスに書き込む中央処理部と、前記整流回路から出力される直流電流により動作し、前記中央処理部によって読み出された情報を前記超音波送信部に供給する高周波発信部とを備え、前記スキャナは、前記読み出し命令或いは前記書き込み命令及び情報を前記第１の周波数の超音波として送信する超音波送信部と、前記超音波受信部から前記第２の周波数の超音波を入力して該超音波に含まれる情報を抽出する中央処理部とを備えている商品管理装置を提案する。
【００４４】
該商品管理装置によれば、情報記憶素子に対して情報の読み書きを行う際には、情報の読み出し命令或いは書き込み命令及び書き込み対象となる情報に基づく第１の周波数の超音波をスキャナの超音波送信部から情報記憶素子に照射する。これにより、前記情報記憶素子では、前記第１の周波数の超音波を前記超音波受信部によって受信すると、整流回路によって該超音波から直流電流が生成され、該直流電流によって前記メモリ及び前記中央処理部並びに高周波発信部が駆動される。さらに、検波回路によって前記第１の周波数の超音波が検波され、前記中央処理部に供給される。
【００４５】
これにより、前記中央処理部は、前記第１の周波数の超音波が受信されている間に、即ち前記整流回路から直流電流が供給されている間に、前記検波回路から入力する信号中の読み出し命令を受けたとき、前記メモリ内に記憶されている情報を読み出し、該読み出された情報は、前記高周波発信部によって前記第２の周波数の高周波信号として前記超音波送信部に供給されて、第２の周波数の超音波として輻射される。
【００４６】
また、前記中央処理部は、前記検波回路から入力する信号中の書き込み命令を受けたときに、該命令に続く書き込み対象情報を前記メモリ内の所定アドレスに記憶する。
【００４７】
前記情報記憶素子から輻射された超音波は、前記スキャナの超音波受信部を介して中央処理部に入力され、該中央処理部によって前記第２の周波数の超音波に含まれる情報が抽出され、前記情報記憶素子に記憶されていた情報が読み出される。
【００４８】
従って、前記スキャナによって前記情報記憶素子の外部より読み出し命令に基づく前記第１の周波数の超音波を輻射することにより、これとほぼ同時に情報記憶素子内の記憶情報が前記第２の周波数の超音波として出射されるので、これを前記スキャナによって受信することにより、記憶情報を得ることができる。
【００４９】
さらに、前記スキャナによって前記情報記憶素子の外部より情報の書き込み命令及び記憶対象となる情報に基づく前記第１の周波数の超音波を輻射することにより、情報記憶素子内のメモリに情報を記憶することができ、記憶情報の更新も容易に行える。また、前記情報記憶素子内部には電源を必要としないので、半永久的に使用可能である。
【００５０】
【発明の実施の形態】
以下、図面に基づいて本発明の一実施形態を説明する。
図１は一実施形態における商品管理装置を示す構成図である。図において、１は管理対象商品に装着される情報記憶素子、２は情報記憶素子１内の情報をアクセスするスキャナ、３は商品販売店に設置される店頭用のコンピュータ、４はチェーン店等おける本店に設置されるホストコンピュータ、４Ａは端末機、５はホストコンピュータ４に接続されたプリンタ、６及び７は店頭用コンピュータ３とホストコンピュータ４とを電話回線等の通信回線によって接続するためのモデム装置、８はキャッシュレジスタである。
【００５１】
ここでは、コンピュータ３、ホストコンピュータ４、プリンタ５、モデム装置６，７及びキャッシュレジスタ８によって、本願発明の管理処理部が構成されている。
【００５２】
情報記憶素子１は、ＥＥＰＲＯＭ等の半導体メモリからなる記憶部を備え、この記憶部には予め装着対象となる商品の商品名、商品種別、製造年月日、製造工場、製造ロット等の管理対象商品に係る情報が記録され、これらの情報はワイアレスにてスキャナ２によりアクセスできるようになっている。
【００５３】
スキャナ２は店頭用のコンピュータ３及びキャッシュレジスタ８に接続され、キャッシュレジスタ８と共にキャッシャーズカウンタに設置され、管理対象商品に装着された情報記憶素子１内の情報をアクセスし、コンピュータ３との間で情報の授受を行い、情報記憶素子１内のＥＥＰＲＯＭ等の半導体メモリからなる記憶部に記憶された情報の読み出し、或いは半導体メモリへの情報の書き込みを行うと共に、情報記憶素子１から読み出した商品種別及び商品名等の情報をキャッシュレジスタ８に対して送出する。
【００５４】
また、このスキャナ２には情報入力及びコマンド入力を行うためのキーボードと、アクセス情報及びコマンド等を表示するための表示器が設けられており、必要に応じて商品購入者の住所、氏名、電話番号等の購入者情報並びに購入商品の製造番号等の情報を入力することができるようになっている。これらの情報は、コンピュータ３に送出されると共に情報記憶素子１の構成に応じて情報記憶素子１内の記憶部に記録される。
【００５５】
店頭用のコンピュータ３には、販売対象となる商品の全種別及び商品名及び商品名に対応して販売価格の情報が予め記憶され、スキャナ２から送られてくる販売商品情報に基づいて、販売された商品の個数を種別或いは品名毎に記録管理すると共に、これらの情報を定期的にホストコンピュータ４に送出する。さらに、スキャナ２から前述した購入者情報及び商品製造番号等の情報入力すると、これらの情報をホストコンピュータ４に送出する。
【００５６】
ホストコンピュータ４は、店頭用のコンピュータ３から送られてくる情報に基づいて、販売商品の個数管理、在庫管理、及び売り上げの管理を行うと共に、商品の購入者情報及び商品製造番号等の情報が送られてくると、これに基づいて商品保証書の発行処理を行う。この発行処理によってプリンタ５から保証書が出力される。
【００５７】
また、キャッシュレジスタ８には、開店時にコンピュータ３に設定されている商品名に対応した販売価格情報が自動的に入力される。これにより、キャッシュレジスタ８は、これらの情報及びスキャナから入力する情報に基づいて、顧客に対する請求金額を算出して記憶すると共にこれを表示する。また、キャッシュレジスタ８は、従来のキャッシュレジスタと同様に金銭の出納管理を行う。
【００５８】
前述の構成よりなる商品管理装置を用いた商品管理方法においては、情報記憶素子１の半導体メモリに予め商品名、商品種別、製造年月日、製造工場、製造ロット等の管理対象商品に係る情報を記憶させておく。また、店頭用のコンピュータ３には、予め販売対象となる商品の全種別及び商品名及び商品名に対応して販売価格の情報を記憶させておく。
【００５９】
これにより、商品の販売管理処理、顧客データ管理処理、及び商品保証書発行処理を容易に行うことができる。即ち、店頭用のコンピュータ３及びキャッシュレジスタ８は、図２のフローチャートに示すように、顧客が購入しようとする商品をキャッシャーズカウンタに持ち寄った際、販売員はスキャナ２によって商品に装着された情報記憶素子１の情報をアクセスし（Ｓ１）、これにより情報記憶素子１から商品情報を読みとり、得られた情報はコンピュータ３及びキャッシュレジスタ８に送出される（Ｓ２）。
【００６０】
次いで、販売商品が家電製品、スポーツ用品、自転車等の耐久消費財の場合、販売員は必要に応じて保証書発行のために購入者の住所、氏名、電話番号等の情報をスキャナ２から入力する。これらの情報はコンピュータ３に入力されると共に、商品に装着されている情報記憶素子１の構成に応じて情報記憶素子１内の記憶部に記録される（Ｓ３）。さらに、情報記憶素子１への情報の記録の際には、販売店名、販売日等の情報の同時に記録される。
【００６１】
販売商品の商品情報の読み取りが全て終了した時点で、販売員はスキャナ２のキーボードから精算コマンドを入力し（Ｓ４）、精算を行う。これによりキャッシュレジスタ８では販売商品の価格の合計を計算して、精算金額を算出する（Ｓ５）と共に、精算金額を表示し（Ｓ６）、金銭の出納処理を行う（Ｓ７）。
【００６２】
また、コンピュータ３では、販売した商品情報に基づいて販売管理処理を行い（Ｓ８）、この販売管理に関する情報をホストコンピュータに送出すると共に、保証書発行に必要な情報をホストコンピュータに送出する（Ｓ９）。
【００６３】
前述したように、本実施形態においては、管理対象商品に装着された情報記憶素子１内の半導体メモリ内に記憶されている情報がスキャナ２によってワイアレスにてアクセスされ、このスキャナ２に接続された管理処理部によって、情報記憶素子１に対するアクセス情報に基づいて商品の管理処理が行われる。従って、情報記憶素子１の半導体メモリに予め商品名、商品種別、製造年月日、製造工場、製造ロット等の管理対象商品に係る情報が記憶されているので、管理処理部によって、例えば商品在庫管理、商品販売管理等の商品管理を非常に簡単に行うことができる。また、商品に装着された情報記憶素子１をスキャナ２によってアクセスするだけで、商品購入者に対する請求金額が算出されるので、現在多く用いられているバーコードによるＰＯＳシステムと同様の商品販売管理を行うことができる。さらに、従来手間のかかっていた保証書の発行も迅速に行うことができる。
【００６４】
また、情報記憶素子１を情報の書き込み可能に構成した場合には、前述したように情報記憶素子１に購入者の住所、氏名、販売店名、販売日等の情報を記録することができるので、販売した商品の不具合発生或いは故障修理等のときに商品の履歴を即座に把握することができると共に、商品自体にユーザ情報が記憶されているため、商品の所有者識別を容易に行うことができる。
【００６５】
次に、本実施形態における情報記憶素子１及びスキャナ２の第１の実施例を説明する。図３は第１の実施例における情報記憶素子１を示す外観図である。図において、１Ａはバーコード印刷シート、１Ｂは保護シート、１Ｃは回路印刷シート、１Ｄは両面テープシートで、これらはそれぞれ同一の矩形状に形成され、記述の順にバーコード印刷シート１Ａを最上層として積層接着されている。
【００６６】
また、バーコード印刷シート１Ａの上面には、所望する任意の情報をバーコード化したバーコードが印刷表示され、回路印刷シート１Ｃの上面には、情報記憶素子１が印刷形成されている。
【００６７】
この情報記憶素子１は、図４に示す回路構成をなしている。図において、１は情報記憶素子で、受信用アンテナ１１、整流回路１２、中央処理部１３、記憶部１４、発信部１５及び送信用アンテナ１６から構成されている。
【００６８】
情報記憶素子１の整流回路１２は、ダイオード121,122、コンデンサ123、及び抵抗器124から構成され、周知の全波整流回路を形成している。この整流回路１２の入力側には受信用アンテナ１１が接続され、受信用アンテナ１１に誘起した高周波電流を整流して直流電流に変換して、中央処理部１３、記憶部１４及び発信部１５の駆動電源として出力するものである。
【００６９】
中央処理部１３は、周知のＣＰＵ131及びディジタル／アナログ（以下、Ｄ／Ａと称する）変換器132から構成され、ＣＰＵ131は電源が供給されて駆動するとＥＥＰＲＯＭ等の半導体メモリからなる記憶部１４内に記憶されている情報を読み出して、この情報をＤ／Ａ変換器132を介して発信部１５に出力する。
【００７０】
発信部１５は、発振回路151、変調回路152及び高周波増幅回路153から構成され、発振回路151によって発振された、例えば３００ＭＨｚの搬送波を、中央処理部１３から入力した情報信号に基づいて、変調回路152で変調して、これを高周波増幅回路153を介して送信用アンテナ１６に供給する。
【００７１】
前述した情報記憶素子１内に記録された情報の読み出しにはこれに対応したスキャナ２を用いることになる。
【００７２】
図５はこのスキャナの一例を示す電気系回路のブロック図である。図において、２はスキャナで、受信用アンテナ２１、受信部２２、中央処理部２３、キーボード２４、表示部２５、発信部２６、送信用アンテナ２７、これらへ電源を供給する電源部２８、及び入出力インタフェース部２９から構成されている。ここで、本発明におけるスキャナとは、後述するように情報記憶素子１に対して第１の周波数の電磁波を輻射しながら、これに伴って情報記憶素子１から輻射される第２の周波数の電磁波を受信することにより、情報記憶素子１への情報アクセスを行うものを言う。
【００７３】
また、スキャナ２の受信部２２は、受信機221とアナログ／ディジタル（以下、Ａ／Ｄと称する）変換器222から構成され、受信器221の入力側は受信用アンテナ２１に接続され、３００ＭＨｚの高周波を受信し、これを検波した後、Ａ／Ｄ変換器222を介して中央処理部２３に出力する。
【００７４】
中央処理部２３は、周知のＣＰＵ231及びメモリ232から構成され、中央処理部231はキーボード２４から入力された命令に基づいて、受信部２２から入力した情報をメモり232に記憶して表示部２５に表示すると共に、入出力インタフェース部２９を介してコンピュータ３及びキャッシュレジスタ８に情報を送出する。
【００７５】
さらに、発振部２６は発信回路261から構成され、発信回路261は常時、例えば１００ＫＨｚ〜３００ＫＨｚの高周波信号を送信用アンテナ２７に出力する。
【００７６】
前述の構成よりなる第１の実施例によれば、個々の商品に関する情報を得るためには、情報記憶素子１が装着された商品をスキャナ２に近づける。これにより、スキャナ２から輻射される微弱電波の届く範囲内に情報記憶素子１が置かれたときに情報のアクセスが行われる。
【００７７】
即ち、スキャナ２の発信部２６から前述の高周波信号が送信用アンテナ２７に供給され、送信用アンテナ２７からは１００〜３００ＫＨｚの周波数の微弱電磁波が常時輻射されている。この電磁波は情報記憶素子１の受信用アンテナ１１に入力され、受信用アンテナ１１に高周波電流が誘起する。受信用アンテナ１１に誘起した高周波電流は、整流回路１２によって整流されて情報記憶素子１内部の中央処理部１３、記憶部１４及び発信部１５に電源を供給する。
【００７８】
これにより、スキャナ２から送出された電磁波を受信している間、電源を供給された中央処理部１３は、予めプログラムされている情報の読み出し処理を行う。即ち、中央処理部１３は、記憶部１４内に記憶されている情報を読み出し、この情報を発信部１５に出力する。発信部１５では読み出された情報に基づいて搬送波を変調し、変調された搬送波、即ち高周波信号を送信用アンテナ１６に供給する。これにより、送信用アンテナ１６からは３００ＭＨｚの周波数の電磁波が輻射される。
【００７９】
スキャナ２では、情報記憶素子１から輻射された３００ＭＨｚの電磁波を受信用アンテナ２１を介して受信部２２によって受信し、受信部２２は受信した情報をディジタルデータに変換して中央処理部２３に送出する。
【００８０】
中央処理部２３は、入力したディジタルデータに基づく情報、即ち情報記憶素子１から受信した商品情報を表示部２５に表示すると共に、コンピュータ３及びキャッシュレジスタ８に送出する。
【００８１】
前述したように第１の実施例によれば、情報記憶素子１内には電源を設ける必要がないので、半永久的に使用できると共に、バーコードに表すことのできない多大な量の個々の製品に関する情報を商品自体に持たせておくことができるので、従来のバーコードラベルを用いた商品管理に比べて、非常に簡単に詳細な商品管理を行うことができる。
【００８２】
さらに、スキャナ２からの電磁波を受信したとほぼ同時に情報記憶素子１から情報が返送されるので、コンベアベルトを用いた商品の搬送工程等においても、移動する個々の商品に関する情報を管理することができる。
【００８３】
また、スキャナ２への電源供給は蓄電池や商用電源など利用状況に合わせて電源部２８を構成することにより使いやすいものが得られる。
【００８４】
次に、本実施形態における情報記憶素子１及びスキャナ２の第２の実施例を説明する。図６は第２の実施例における情報記憶素子１及びスキャナ２の電気系回路を示すブロック図である。情報記憶素子１の外観構成は図３に示したものと同様である。図６において、前述した第１の実施例と同一構成部分は同一符号をもって表しその説明を省略する。また、第１の実施例と第２の実施例との相違点は、情報記憶素子１に検波部１７を設けると共に、スキャナ２に変調部３０を設けたことにある。
【００８５】
即ち、検波部１７はダイオード171とＡ／Ｄ変換器172からなり、ダイオード171のアノードは受信用アンテナ１１に接続され、カソードはＡ／Ｄ変換器172を介して中央処理部１３のＣＰＵ131に接続されている。
【００８６】
また、変調部３０は、Ｄ／Ａ変換器301、変調回路302及び高周波増幅回路303からなり、Ｄ／Ａ変換器301の入力側は中央処理部２３のＣＰＵ231に接続され、出力側は変調回路302に接続されている。変調回路302は発信部２６から搬送波を入力し、これを変調して高周波増幅回路303に供給する。高周波増幅回路303は、入力した高周波信号を増幅して送信用アンテナ２７に出力する。
【００８７】
前述の構成よりなる第２の実施例によれば、情報記憶素子１内の記録情報を読み出すことができると共に、情報記憶素子１内の記録情報の更新を行うことができる。即ち、情報記憶素子１内の情報を更新或いは追加するときは、情報の書き込みであることをスキャナ２のキーボードに設定し、さらに書き込み対象となる情報もキーボードを用いて設定しておく。この後、スキャナ２に販売対象となる商品の情報記憶素子１を近づけて、キーボード２４から情報書き込み用のコマンドを入力する。
【００８８】
これにより、スキャナ２の発信部２６から情報の書き込み命令に基づく高周波信号が送信用アンテナ２７に供給され、送信用アンテナ２７から１００〜３００ＫＨｚの周波数の電磁波が輻射される。この電磁波は情報記憶素子１の受信用アンテナ１１に入力され、受信用アンテナ１１に高周波電流が誘起する。受信用アンテナ１１に誘起した高周波電流は、整流回路１２によって整流されて情報記憶素子１内部の中央処理部１３、記憶部１４及び発信部１５に電源を供給する。
【００８９】
これにより、スキャナ２から送出された電磁波を受信している間、電源を供給された中央処理部１３は、検波回路１７を介して入力される情報の書き込み命令に従って、予めプログラムされている処理を行う。
【００９０】
即ち、通常の情報の読み出し命令を受けたときには、情報記憶素子１の中央処理部１３は、記憶部１４内に記憶されている情報を読み出し、この情報を発信部１５に出力する。発信部では読み出された情報に基づいて搬送波を変調し、変調された搬送波、即ち高周波信号を送信用アンテナ１６に供給する。これにより、送信用アンテナ１６からは３００ＭＨｚの周波数の電磁波が輻射される。
【００９１】
スキャナ２では、情報記憶素子１から輻射された３００ＭＨｚの電磁波を受信用アンテナ２１を介して受信部２２によって受信し、受信部２２は受信した情報をディジタルデータに変換して中央処理部２３に送出する。
【００９２】
中央処理部２３は、入力したディジタルデータに基づく情報、即ち情報記憶素子１から受信した製品に関する情報を表示部２５に表示すると共に、コンピュータ３及びキャッシュレジスタ８に送出する。
【００９３】
また、情報の書き込み命令を受けたときには、情報記憶素子１の中央処理部１３は、命令と共に受信した書き込み対象となる情報を記憶部１４の所定アドレスに記憶する。これにより、情報記憶素子１内の記憶情報が更新される。
【００９４】
前述したように第２の実施例によれば、情報記憶素子１の記憶情報を容易に更新、或いは書き換えできるので、商品の履歴等を残したい場合には有効に活用することができる。例えば、電化製品においては、修理が行われることがあるが、製造時においては情報記憶素子１を製品に貼り付けておくことにより、情報記憶素子１は常時製品と共に持ち運ばれるので、製造年月日、製造工場、製造ロット番号、修理日時、修理処理工場、修理内容等の情報、及び販売店名、販売日、購入者名、購入者住所、、購入者の電話番号等の情報を任意の時点で情報記憶素子１に書き込むことができると共に読み出すこともでき、個々の製品（商品）の履歴を確実に把握することができる。
【００９５】
また、スキャナ２からの電磁波を受信したとほぼ同時に情報記憶素子１から情報が返送されるので、コンベアベルトを用いた製品の搬送工程等においても、移動する個々の製品（商品）に関する情報を管理することができる。
【００９６】
尚、前述の実施例では、情報記憶素子１に対する情報書き込みも行えるようにしたが、情報の読み出し命令のみを解釈する情報記憶素子１を構成しても良い。次に、本実施形態における情報記憶素子及びスキャナの第３の実施例を説明する。図７は、第３の実施例における情報記憶素子及びスキャナを示す電気系回路のブロック図である。第３の実施例においても情報記憶素子１の外観構成は図３に示したものと同様である。図７において、１は情報記憶素子で、超音波受信部６１、整流回路６２、中央処理部６３、記憶部６４、超音波送信部６５から構成されている。
【００９７】
２はスキャナで、超音波受信部７１、中央処理部７２、キーボード７３、表示部７４、超音波送信部７５、これらへ電源を供給する電源部７６、及び入出力インタフェース部７７から構成されている。ここで、本実施例におけるスキャナとは、後述するように情報記憶素子１に対して第１の周波数の超音波を輻射しながら、これに伴って情報記憶素子１から輻射される第２の周波数の超音波を受信することにより、情報記憶素子１への情報アクセスを行うものを言う。
【００９８】
また、超音波受信部６１，７１及び超音波送信部６５，７５は、電歪型振動子を用いた超音波センサが使用されている。
【００９９】
情報記憶素子１の整流回路６２の入力側には超音波受信部６１が接続され、超音波受信部６１に誘起した高周波電流を整流して直流電流に変換して、中央処理部６３、記憶部６４及び超音波送信部６５の駆動電源として出力するものである。
【０１００】
中央処理部６３は、周知のＣＰＵ631及びディジタル／アナログ（以下、Ｄ／Ａと称する）変換器632から構成され、ＣＰＵ631は電源が供給されて駆動するとＥＥＰＲＯＭ等の半導体メモリからなる記憶部６４内に記憶されている情報を読み出して、この情報をＤ／Ａ変換器632を介して超音波送信部６５に出力する。
【０１０１】
超音波送信部６５は、例えば３００ＫＨｚの搬送波を、中央処理部１３から入力した情報信号に基づいて変調し、超音波として輻射する。
【０１０２】
また、スキャナ２の超音波受信部７１は、３００ＫＨｚの超音波を受信し、これを検波した後、中央処理部７２に出力する。
【０１０３】
中央処理部７２は、周知のＣＰＵ721、Ｄ／Ａ変換回路722及びメモリ723から構成され、中央処理部721はキーボード７３から入力された命令に基づいて、超音波受信部７１から入力した情報をメモり723に記憶して表示部７４に表示すると共に、入出力インタフェース部７７を介してコンピュータ３及びキャッシュレジスタ８に送出する。
【０１０４】
さらに、超音波送信部７５は超音波発信回路751から構成され、超音波発信回路751は常時、例えば１００Ｈｚ〜３００Ｈｚの超音波信号を出力する。
【０１０５】
前述の構成よりなる本実施例によれば、商品や製品等の管理を行うときは、個々の商品や製品の分類、名称等の情報及びその他の付加情報を予め情報記憶素子１の記憶部１４に記憶させておく。
【０１０６】
例えば、商品管理を行う場合には、製造年月日、製造場所、製造ロット番号等の情報を情報記憶素子１に記憶させる。これにより、多大な量の個々の商品の管理情報が常に商品に添付され、商品の故障などの不具合が生じたときに、商品に関する情報を即座に知ることができる。
【０１０７】
個々の商品に関する情報を得るためには、スキャナ２に調査対象となる商品の情報記憶素子１を近づける。これにより、スキャナ２から輻射される微弱超音波の届く範囲内に情報記憶素子１が置かれたときに情報のアクセスが行われる。
【０１０８】
即ち、スキャナ２の超音波発信部７５からは前述の微弱な超音波信号が常時輻射されている。この超音波は情報記憶素子１の超音波受信部６１に入力され、超音波受信部６１に誘起した高周波電流は、整流回路６２によって整流されて情報記憶素子１内部の中央処理部６３、記憶部６４及び超音波送信部６５に電源を供給する。
【０１０９】
これにより、スキャナ２からの超音波を受信している間、電源を供給された中央処理部６３は、予めプログラムされている情報の読み出し処理を行う。即ち、中央処理部６３は、記憶部６４内に記憶されている情報を読み出し、この情報を超音波送信部６５に出力する。超音波送信部６５では読み出された情報に基づいて搬送波を変調し、超音波として輻射する。これにより、超音波送信部６５からは３００ＫＨｚの周波数の超音波が輻射される。
【０１１０】
スキャナ２では、情報記憶素子１から輻射された３００ＫＨｚの超音波を超音波受信部７１によって受信し、超音波受信部７１は受信した情報を中央処理部７２に送出する。
【０１１１】
中央処理部７２は、入力した情報をＡ／Ｄ変換器722によってディジタルデータに変換し、このデータに基づく情報、即ち情報記憶素子１から受信した商品（製品）に関する情報を表示部７４に表示すると共に、入出力インタフェース部７７を介してコンピュータ３及びキャッシュレジスタ８に送出する。
【０１１２】
前述したように第３の実施例によれば、情報記憶素子１内には電源を設ける必要がないので、半永久的に使用できると共に、バーコードに表示しきれない多大な量の個々の製品に関する情報を商品（製品）自体に持たせておくことができるので、従来のバーコードラベルを用いた商品管理に比べて、非常に簡単に詳細な商品管理を行うことができる。
【０１１３】
また、本実施例では超音波を使用しているので、前述した第１及び第２の実施例のように電磁波を使用した場合に比べて、電磁波の透過しない部材に囲まれた中に情報記憶素子１を貼り付けて使用することも容易に可能となる。
【０１１４】
さらに、スキャナ２からの超音波を受信したとほぼ同時に情報記憶素子１から情報が返送されるので、コンベアベルトを用いた商品（製品）の搬送工程等においても、移動する個々の商品（製品）に関する情報を管理することができる。
【０１１５】
また、スキャナ２への電源供給は蓄電池や商用電源など利用状況に合わせて電源部７６を構成することにより使いやすいものが得られる。
【０１１６】
次に、本実施形態における情報記憶素子１とスキャナ２の第４の実施例を説明する。図８は第４の実施例における情報記憶素子１とスキャナ２の電気系回路を示すブロック図である。図において、前述した第３の実施例と同一構成部分は同一符号をもって表しその説明を省略する。また、第３の実施例と第４の実施例との相違点は、情報記憶素子１に検波部６６を設けると共に、スキャナ２に変調部７８を設けたことにある。
【０１１７】
即ち、検波部６６はダイオード661とＡ／Ｄ変換器662からなり、ダイオード661のアノードは超音波受信部６１に接続され、カソードはＡ／Ｄ変換器を介して中央処理部６３のＣＰＵ631に接続されている。
【０１１８】
また、変調部７８は、Ｄ／Ａ変換器781及び変調回路782からなり、Ｄ／Ａ変換器781の入力側は中央処理部７２のＣＰＵ721に接続され、出力側は変調回路782に接続されている。変調回路782は超音波発信器751から出力される超音波を変調する。
【０１１９】
前述の構成よりなる本実施例によれば、前述した第３の実施例の効果に加えて、情報記憶素子１内の記録情報を任意の時点で更新することができる。
【０１２０】
即ち、情報記憶素子１から個々の商品（製品）に関する情報を読み出したり、或いは情報を更新したりするときは、スキャナ２を用いる。即ち、情報の読み出しか書き込みかをスキャナ２のキーボード７３に設定し、さらに情報の書き込みのときには書き込み対象となる情報もキーボード７３を用いて設定しておく。この後、スキャナ２に調査対象となる商品（製品）の情報記憶素子１を近づけて、情報書き込みの場合にはキーボードから書き込みコマンドを入力する。
【０１２１】
これにより、スキャナ２の超音波発信器751から情報の読み出し或いは書き込み命令に基づく超音波が輻射される。この超音波は情報記憶素子１の超音波受信部６１に入力され、超音波受信部６１に誘起した高周波電流は、整流回路６２によって整流されて情報記憶素子１内部の中央処理部６３、記憶部６４及び超音波送信部６５に電源を供給する。
【０１２２】
これにより、スキャナ２から送出された超音波を受信している間、電源を供給された中央処理部６３は、検波回路６６を介して入力される情報の読み出し命令或いは書き込み命令に従って、予めプログラムされている処理を行う。
【０１２３】
即ち、情報の読み出し命令を受けたときには、中央処理部６３は、記憶部６４内に記憶されている情報を読み出し、この情報を超音波送信部６５に出力する。超音波送信部６５では読み出された情報に基づいて搬送波を変調し、超音波として輻射する。これにより、超音波送信部６５からは３００ＫＨｚの周波数の超音波が輻射される。
【０１２４】
スキャナ２では、情報記憶素子１から輻射された３００ＫＨｚの超音波を超音波受信部７１によって受信し、超音波受信部７１は受信した情報を中央処理部７２に送出する。
【０１２５】
中央処理部７２は、入力した情報をＡ／Ｄ変換器722によってディジタルデータに変換し、このデータに基づく情報、即ち情報記憶素子１から受信した商品（製品）に関する情報を表示部７４に表示すると共に、コンピュータ３及びキャッシュレジスタ８に送出する。
【０１２６】
また、情報の書き込み命令を受けたときには、中央処理部６３は、命令と共に受信した書き込み対象となる情報を記憶部６４の所定アドレスに記憶する。これにより、情報記憶素子１内の記憶情報が更新される。
【０１２７】
前述したように本実施例によれば、情報記憶素子１内には電源を設ける必要がないので、半永久的に使用できると共に、個々の製品に関する情報を製品自体に持たせておくことができるので、従来のバーコードラベルを用いた商品管理に比べて、非常に簡単に詳細な商品管理を行うことができる。
【０１２８】
さらに、情報記憶素子１の記憶情報は容易に更新、或いは書き換えできるので、製品の履歴等を残したい場合には有効に活用することができる。
【０１２９】
さらに、スキャナ２からの超音波を受信したとほぼ同時に情報記憶素子１から情報が返送されるので、コンベアベルトを用いた製品の搬送工程等においても、移動する個々の製品に関する情報を管理することができる。
【０１３０】
また、本実施例では超音波を用いて情報記憶素子１とスキャナ２との間の情報の伝送を行っているので、電磁波をシールドする金属製の製品内においても情報記憶素子１を取り付けることができる。
【０１３１】
尚、前述した第４の実施例では、情報記憶素子１に対する情報書き込みも行えるようにしたが、情報の読み出し命令のみを解釈する情報記憶素子１を構成しても良い。この場合、読み出し命令の内容設定において、任意の情報記憶素子を選択できるようにしても良い。
【０１３２】
また、前述した第１乃至第４の実施例は一例であり、本願発明における情報記憶素子及びスキャナがこれらに限定されることはない。
【０１３３】
【発明の効果】
以上説明したように本発明の請求項１記載の商品管理方法によれば、情報記憶素子のメモリに予め商品名、商品種別、製造年月日、製造工場、製造ロット等の管理対象商品に係る情報を記憶させておくことにより、管理処理部によって、例えば商品在庫管理、商品販売管理等の商品管理を行うことができるので、従来のバーコードを用いた商品管理に比べて、販売した商品の種別、個数、価格等のみを管理するに留まることなく、これ以外の管理、例えば顧客管理に伴う販売商品の保証書発行等の管理処理を自動的に行うことができる。さらに、管理対象商品の販売時に、前記販売に係る所定情報及び商品購入者の住所、氏名等の購入者情報（ユーザ情報）が情報記憶素子のメモリに書き込まれると共に、これらの情報並びに販売商品名、販売商品の製造番号が前記管理処理部に記憶されるので、販売した商品の不具合発生或いは故障修理等のときに商品の履歴を即座に把握することができ、販売商品の情報及び該商品のユーザ情報を詳細に把握することができると共に、商品自体にユーザ情報が記憶されているため、商品の所有者識別を容易に行うことができる。
【０１３４】
また、請求項２記載の商品管理方法によれば、上記の効果に加えて、商品の販売時に前記スキャナによって販売商品に装着された情報記憶素子をアクセスすることにより、前記管理処理部によって商品購入者に対する請求金額が算出されるので、現在多く用いられているバーコードによるＰＯＳシステムと同様に商品販売管理を行うことができる。
【０１３５】
また、請求項３によれば、上記の効果に加えて、商品販売時に記憶した販売に係る所定情報、購入者情報、販売商品名、販売商品の製造番号に基づいて販売商品保証書の発行処理が行われるので、保証書の発行処理を迅速に且つ容易に行うことができ、保証書発行処理の手間を大幅に軽減することができる。
【０１３６】
また、請求項４記載の商品管理装置によれば、情報記憶素子のメモリに予め商品名、商品種別、製造年月日、製造工場、製造ロット等の管理対象商品に係る情報を記憶させておくことにより、管理処理部によって、例えば商品在庫管理、商品販売管理等の商品管理を行うことができるので、従来のバーコードを用いた商品管理に比べて、販売した商品の種別、個数、価格等のみを管理するに留まることなく、これ以外の管理、例えば顧客管理に伴う販売商品の保証書発行等の管理処理を自動的に行うことができる。さらに、管理対象商品の販売時に、情報入力手段によって入力された前記販売に係る所定情報及び商品購入者の住所、氏名等の購入者情報（ユーザ情報）が管理対象商品に装着された情報記憶素子のメモリに書き込まれると共に、これらの情報並びに販売商品名、販売商品の製造番号が前記管理処理部の情報記憶手段に記憶されるので、販売した商品の不具合発生或いは故障修理等のときに商品の履歴を即座に把握することができ、販売商品の情報及び該商品のユーザ情報を詳細に把握することができると共に、商品自体にユーザ情報が記憶されているため、商品の所有者識別を容易に行うことができる。
【０１３７】
また、請求項５記載の商品管理装置によれば、上記の効果に加えて、商品の販売時にスキャナによって販売商品に装着された情報記憶素子をアクセスすることにより、管理処理部によって商品購入者に対する請求金額が算出されるので、現在多く用いられているバーコードによるＰＯＳシステムと同様に商品販売管理を行うことができる。
【０１３８】
また、請求項６記載の商品管理装置によれば、上記の効果に加えて、管理処理部の保証書発行手段によって、商品販売時に記憶した販売に係る所定情報、購入者情報、販売商品名、販売商品の製造番号に基づいて販売商品保証書の発行処理が行われるので、保証書の発行処理を迅速に且つ容易に行うことができるので、保証書の発行処理を迅速に且つ容易に行うことができ、保証書発行処理の手間を大幅に軽減することができる。
【０１３９】
また、請求項７記載の商品管理装置によれば、上記の効果に加えて、スキャナから情報記憶素子に対して第１の周波数の電磁波を輻射することにより、これとほぼ同時に情報記憶素子内の記憶情報が第２の周波数の電磁波として出射されるので、これを前記スキャナによって受信することにより、記憶情報を得ることができ、また、前記情報記憶素子内部には電源を必要とせず半永久的に使用可能であるので、従来のバーコード表示や磁気カードに代えて前記情報記憶素子を用いることにより、個々の製品の情報や利用者等の管理を容易に行うことができる。また、情報記憶素子は、電磁波を受信するとほぼ同時に情報を電磁波として輻射するので、移動体に取り付けた場合にも、容易に情報管理を行うことができる。
【０１４０】
また、請求項８記載の商品管理装置によれば、上記の効果に加えて、スキャナから情報記憶素子に対して第１の周波数の電磁波を輻射することにより、これとほぼ同時に情報記憶素子内の記憶情報が第２の周波数の電磁波として出射されるので、これを前記スキャナによって受信することにより、記憶情報を得ることができ、また、前記情報記憶素子内部には電源を必要とせず半永久的に使用可能であるので、従来のバーコード表示や磁気カードに代えて前記情報記憶素子を用いることにより、個々の製品の情報や利用者等の管理を容易に行うことができる。さらに加えて、スキャナから読み出し命令を与えたときだけに情報記憶素子内の記憶情報を読み出すことができるので、必要なときにのみ情報の読み出しを行うことができる。また、情報記憶素子は、電磁波を受信するとほぼ同時に情報を電磁波として輻射するので、移動体に取り付けた場合にも、容易に情報管理を行うことができる。
【０１４１】
また、請求項９記載の商品管理装置によれば、上記の効果に加えて、スキャナから情報記憶素子に対して第１の周波数の電磁波を輻射することにより、これとほぼ同時に情報記憶素子内の記憶情報が第２の周波数の電磁波として出射されるので、これを前記スキャナによって受信することにより、記憶情報を得ることができ、また、前記情報記憶素子内部には電源を必要とせず半永久的に使用可能であるので、従来のバーコード表示や磁気カードに代えて前記情報記憶素子を用いることにより、個々の製品の情報や利用者等の管理を容易に行うことができる。さらに加えて、スキャナから情報記憶素子に対して読み出し命令を与えたときだけに記憶情報を読み出すことができるので、必要なときにのみ情報の読み出しを行うことができると共に、書き込み命令を与えたときに所望の情報を記憶させることができるので、情報の追加、更新なども簡単に行うことができ、製品の履歴情報の管理も容易に行うことができる。また、情報記憶素子は、電磁波を受信するとほぼ同時に情報を電磁波として輻射するので、移動体に取り付けた場合にも、容易に情報管理を行うことができる。
【０１４２】
また、請求項１０記載の商品管理装置によれば、上記の効果に加えて、スキャナから情報記憶素子に対して第１の周波数の超音波を輻射することにより、情報記憶素子内の記憶情報が第２の周波数の超音波として出射されるので、これを前記スキャナによって受信することにより、記憶情報を得ることができ、また、前記情報記憶素子内部には電源を必要とせず半永久的に使用可能であるので、従来のバーコード表示や磁気カードに代えて前記情報記憶素子を用いることにより、個々の製品の情報や利用者等の管理を容易に行うことができる。また、情報記憶素子は、超音波を受信するとほぼ同時に情報を超音波として輻射するので、移動体に取り付けた場合にも、容易に情報管理を行うことができると共に、電磁波を透過しない部材中等に情報記憶素子を設けた場合にも容易に情報管理を行うことができる。
【０１４３】
また、請求項１１記載の商品管理装置によれば、上記の効果に加えて、スキャナから情報記憶素子に対して第１の周波数の超音波を輻射することにより、情報記憶素子内の記憶情報が第２の周波数の超音波として出射されるので、これを前記スキャナによって受信することにより、記憶情報を得ることができ、また、前記情報記憶素子内部には電源を必要とせず半永久的に使用可能であるので、従来のバーコード表示や磁気カードに代えて前記情報記憶素子を用いることにより、個々の製品の情報や利用者等の管理を容易に行うことができる。さらに加えて、スキャナから読み出し命令を与えたときだけに記憶情報を読み出すことができるので、必要なときにのみ情報の読み出しを行うことができる。また、情報記憶素子は、超音波を受信するとほぼ同時に情報を超音波として輻射するので、移動体に取り付けた場合にも、容易に情報管理を行うことができると共に、電磁波を透過しない部材中等に情報記憶素子を設けた場合にも容易に情報管理を行うことができる。
【０１４４】
また、請求項１２記載の商品管理装置によれば、上記の効果に加えて、スキャナから情報記憶素子に対して第１の周波数の超音波を輻射することにより、情報記憶素子内の記憶情報が第２の周波数の超音波として出射されるので、これを前記スキャナによって受信することにより、記憶情報を得ることができ、また、前記情報記憶素子内部には電源を必要とせず半永久的に使用可能であるので、従来のバーコード表示や磁気カードに代えて前記情報記憶素子を用いることにより、個々の製品の情報や利用者等の管理を容易に行うことができる。さらに加えて、スキャナから情報記憶素子に対して読み出し命令を与えたときだけに記憶情報を読み出すことができるので、必要なときにのみ情報の読み出しを行うことができると共に、書き込み命令を与えたときに所望の情報を記憶させることができるので、情報の追加、更新なども簡単に行うことができ、製品の履歴情報の管理も容易に行うことができる。また、情報記憶素子は、超音波を受信するとほぼ同時に情報を超音波として輻射するので、移動体に取り付けた場合にも、容易に情報管理を行うことができると共に、電磁波を透過しない部材中等に情報記憶素子を設けた場合にも容易に情報管理を行うことができる。
【図面の簡単な説明】
【図１】  本発明の一実施形態における商品管理装置を示す構成図
【図２】  本発明の一実施形態における商品管理方法を説明するフローチャート
【図３】  本発明の第１の実施例における情報記憶素子を示す外観図
【図４】  本発明の第１の実施例における情報記憶素子を示す電気系回路のブロック図
【図５】  本発明の第１の実施例におけるスキャナの電気系回路を示すブロック図
【図６】  本発明の第２の実施例における情報記憶素子及びスキャナの電気系回路を示すブロック図
【図７】  本発明の第３の実施例における情報記憶素子及びスキャナの電気系回路を示すブロック図
【図８】  本発明の第４の実施例における情報記憶素子及びスキャナの電気系回路を示すブロック図
【符号の説明】
１…情報記憶素子、１Ａ…バーコード印刷シート、１Ｂ…保護シート、１Ｃ…回路印刷シート、１Ｄ…両面テープシート、１１…受信用アンテナ、１２…整流回路、１３…中央処理部、131…ＣＰＵ、132…Ｄ／Ａ変換回路、１４…記憶部、１５…発信部、151…発振回路、152…変調回路、153…高周波増幅回路、１６…送信用アンテナ、１７…検波部、２…スキャナ、２１…受信用アンテナ、２２…受信部、221…受信機、222…Ａ／Ｄ変換回路、２３…中央処理部、231…ＣＰＵ、232…メモリ、２４…キーボード、２５…表示部、２６…発振部、261…発信器、262…スイッチ、２７…送信用アンテナ、２８…電源部、２９…入出力インタフェース部、３０…変調部、301 …Ｄ／Ａ変換回路、302 …変調回路、303 …高周波増幅回路、６１…超音波受信部、６２…整流回路、６３…中央処理部、631…ＣＰＵ、632…Ｄ／Ａ変換回路、６４…記憶部、６５…超音波送信部、６６…検波部、７１…超音波受信部、７２…中央処理部、721…ＣＰＵ、722…Ａ／Ｄ変換回路、723…メモリ、７３…キーボード、７４…表示部、７５…超音波送信部、751…超音波発信器、752…スイッチ、７７…入出力インタフェース部、７８…変調部、781 …Ｄ／Ａ変換回路、782 …変調回路。
【図１】
0003665118.tif 000002
【図２】
0003665118.tif 000003
【図３】
0003665118.tif 000004
【図４】
0003665118.tif 000005
【図５】
0003665118.tif 000006
【図６】
0003665118.tif 000007
【図７】
0003665118.tif 000008
【図８】
0003665118.tif 000009